(57)【要約】【課題】金属とゴムプラスチック材料を適宜積層してなるラミネートテープからなる遮水層と保護シース層が接着一体化してなる遮水ケーブルのリサイクルに際して、遮水層と保護シース層とを容易に効率よく剥離し、分別することができる資源の再利用に有効な遮水ケーブルの解体方法を提供することにある。【解決手段】本発明は、ケーブルコアの外周に、金属とゴムプラスチック材料を適宜積層したラミネートテープからなる遮水層、保護シース層を順次設けてなる遮水ケーブルを解体して保護シース、ラミネートテープ、ケーブルコアに分離・分別する方法において、該遮水ケーブルの保護シース層の温度を８０°Ｃ以上に昇温して後、該遮水ケーブルにその外周からしごきを加え、保護シース層から遮水層に至る縦割りを入れて、保護シース、ラミネートテープ、ケーブルコアに分離・分別することを特徴とする遮水ケーブルの解体方法である。【選択図】　　　　図２
2004064826.tif 000002
【特許請求の範囲】
【請求項１】
ケーブルコアの外周に、ラミネートテープからなる遮水層、保護シース層を順次設けてなる遮水ケーブルを解体して保護シース、ラミネートテープ、ケーブルコアに分離・分別する遮水ケーブルの解体方法において、該遮水ケーブルの保護シース層の温度を８０°Ｃ以上に昇温して後、該遮水ケーブルにその外周からしごきを加え、保護シース層から遮水層に至る縦割りを入れて、保護シース、ラミネートテープ、ケーブルコアに分離・分別することを特徴とする遮水ケーブルの解体方法。
【発明の詳細な説明】
【０００１】
【発明の属する技術分野】
本発明は、金属とゴムプラスチック材料を適宜積層してなるラミネートテープからなる遮水層と保護シース層が接着一体化してなる遮水ケーブルのリサイクルに際して、遮水層と保護シース層とを容易に効率よく剥離し、分別することができる資源の再利用に有効な遮水ケーブルの解体方法に関するものである。
【０００２】
【従来の技術】
図１に示すように一般の遮水ケーブル１は、導体層２とケーブル絶縁層３からなるケーブルコア４の外周にラミネートテープからなる遮水層５を設けてケーブルコア４を遮水保護し、遮水層５の外側に保護層６を設けた構造である。遮水層５を形成するラミネートテープとしては、ポリエチレン樹脂等のプラスチックフィルムや合成ゴム、特にラミネートテープに強度が要求される場合にはポリエステルフィルムを採用し、該プラスチックフィルムに銅、アルミニウム、鉛等の薄い金属箔を貼り合わせたものが使用され、保護シース層６と接着一体化するためにラミネートテープの最外層に保護シース接着用接着剤（図示せず）が設けられている。
【０００３】
かかる遮水ケーブル１は、ケーブルコア４の外周にラミネートテープの接着剤塗布面を外側に向けて縦添え包皮して遮水層５を設け、該遮水層５に設けた接着剤の上にプラスチックシース材からなる保護シース層６を押出成形する。遮水層５に設けた接着剤は保護シース層６を押出成形する際の熱で溶融し、ラミネートテープからなる遮水層５と保護シース層６とを強固に接着一体化している。このような遮水ケーブルは外部環境からのケーブル内への水の浸入を完全にシャットアウトすることができ、水の浸入が危惧される環境で多く使用される。
【０００４】
ところで、遮水ケーブルは電力会社のみでなく、使用環境の厳しい石油化学工場、薬品工場等の民需産業向けにも広く採用されてきており、使用量の増加に伴い、使用済みの遮水ケーブルを産業廃棄物として処分する必要性が出始めている。
近年、環境問題が強く意識され、遮水ケーブルを産業廃棄物として処理する際、単なる廃棄物処理でなく、リサイクルすることにより資源の有効活用を図る対象となっており、使用済み遮水ケーブルを解体し、ケーブルコア、ラミネートテープ、保護シースとに分離し、それぞれを有効に再利用する方策がとられつつある。
【０００５】
遮水ケーブルの解体方法としては、ケーブルを長手方向に２分割して半円形とし、ケーブルコア４と、接着している遮水層５と保護シース層６とのラップシース（以下この複合体を単にラップシースと言う）との２つの部分に先ず分解する。次いで、ラップシースから、ラミネートテープからなる遮水層と保護シース層とを分離するが、両者は接着剤で強固に接着しているため、始めにラップシースを加熱して接着剤の接着強度を低下させ、接着強度が低下したところで、人力により両者を剥離していた。
【０００６】
しかし、近年、接着剤の進歩によって接着剤の耐熱性が向上し、単にラップシースを加熱しただけでは両者の接着力を充分に弱めることができず、人力で剥離すると途中で千切れてしまう等して分離作業が困難になってきている。
かかる状況のもとに、ラップシースから遮水層（ラミネートテープ）と保護シース層を剥離する方法として、ラミネートシースと保護シース層との剥離を、従来の人力による強制剥離ではなく、ラミネートテープと保護シースとの間の物性の相違、すなわち復元力や収縮力等の差異を利用して、ラミネートテープと保護シース層との自然剥離を誘発するようにしたラミネートテープと保護シース層との剥離方法が提案されている（特開２００１−１６７３６号公報）。
【０００７】
この方法は、遮水ケーブルを長手方向に沿って先ず２分割カット処理し、ラップシースをケーブルコアから分離する工程、分離された断面半円形状のラップシースを一対のギヤ形状ロール間でロール加工処理し、ラップシースを平らでかつ波形状に塑性変形させるロール加工工程、ロール加工後、ラミネートテープと保護シースとの間の接着剤を溶融させる加熱工程、ラミネートテープと保護シース層を自然冷却し、両者間の復元力、収縮力の差異により、両者を自然剥離させる剥離工程とからなっている。
【０００８】
即ち、この方法によれば、断面半円形状のラップシースを平らでかつ波形状に塑性変形させると、プラスチック材には、半円形に戻ろうとする復元力が幅方向に作用するとともに収縮力が長手方向に作用するものの、アルミ箔等の金属箔には、復元力も収縮力も作用しない。
【０００９】
従って、ラミネートテープと保護シース層との間を接合している接着剤が溶融して両者の拘束が弱くなれば、上述したラミネートテープと保護シース層との間の復元力と収縮力の差異により、ラミネートテープが保護シース層を押し出す形で両者は自然に剥離する。
【００１０】
よって、この提案は引張り力により強制的に剥離を行なうのではなく、物性の差を利用して自然に剥離を行なうものであるため、途中で保護シースが千切れたりすることがなく、精度良く両者の剥離が進行することができ、また、引張り力の負荷も極めて少なくて済む方法である。
【００１１】
【発明が解決しようとする課題】
しかしながら、このような方法では、先ず遮水ケーブル全体を長手方向に沿って２分割カット、即ち、撚り線導体をもカットしてしまう。ケーブル導体は撚り線からなるため、ケーブル導体を長手方向にカットすると、導体が細かく裁断されて飛び散る危険性がある。また、２分割した後で、密着しているケーブルコアとラップシースとを剥離するのに導体切断の際に、導体の切子が絶縁体に付着或いは食い込んでいるため作業に危険が伴い、手間を要し、ケーブル絶縁層に導体が食い込んでいるためにその再処理が改めて必要になる等の欠点がある。
【００１２】
本発明は、かかる従来の欠点を解消し、使用済み遮水ケーブルのリサイクルによる資源の有効利用を図ったもので、遮水層と保護シース層とを容易に効率よく剥離・分別することができる遮水ケーブルの解体方法に関するものである。
【００１３】
【課題を解決するための手段】
本発明は、ケーブルコアの外周に、ラミネートテープからなる遮水層、保護シース層を順次設けてなる遮水ケーブルを解体して保護シース、ラミネートテープ、ケーブルコアに分離・分別する遮水ケーブルの解体方法において、該遮水ケーブルの保護シース層の温度を８０°Ｃ以上に昇温して後、該遮水ケーブルにその外周からしごきを加え、保護シース層から遮水層に至る縦割りを入れて、保護シース、ラミネートテープ、ケーブルコアに分離・分別することを特徴とする遮水ケーブルの解体方法である。
【００１４】
本発明の方法において、保護シース層の温度を８０℃以上に昇温させるのは、ラミネートテープと保護シース層とを接着している接着剤の接着強度を熱劣化させて弱めるためで、保護シース層を暖める温度は接着剤を劣化させるには高いほど有効であるが、温度を高くするには熱エネルギーを必要とし、また、再利用する保護シース層の材料を熱劣化させる危険性もあるため、昇温温度は８０℃〜１１０℃の範囲が適切である。
【００１５】
次に遮水ケーブルにその外周からしごきを加えるが、しごきに必要な剪断応力は保護シース層と遮水層（ラミネートテープ）との間に０．５ｋｇ／ｃｍ以上の剪断応力を与えることが好ましい。
【００１６】
【発明の実施の形態】
以下、本発明の一実施形態を示す図面により詳細に説明する。
図２は本発明方法に使用する遮水ケーブル１の分解・解体工程を示す工程説明図で、遮水ケーブル１は加熱炉１１に通され加熱される。加熱炉としては遠赤外線加熱炉、赤外線加熱炉、電気加熱炉、蒸気加熱炉等、遮水ケーブルが８０℃以上に加熱できるものであればその種類は問われない。
【００１７】
遮水ケーブル１は加熱されることにより保護シース層６とラミネートテープからなる遮水層５（以下単にラミネートテープ５と言う）とを接着している接着剤が熱劣化し、両者間の接着強度が弱められる。
加熱された遮水ケーブルは剪断応力付与機１２によりしごき（剪断応力）を付与される。剪断応力付与機１２としては、例えば図３に示すように４本のロール２２からなる井桁式ロール２１を例えば３基、ロールの方向を変えてタンデムに配列し、遮水ケーブル１を３基の井桁式ロール２１のロール２２間に通すことによりケーブル１に０．５ｋｇ／ｃｍ以上の剪断応力、即ちしごきを付与する。なお、しごきを付与する方法としては、２乃至３本のロールからなるもの、キャタピラ式のもの等遮水ケーブル１にしごき（剪断応力）を付与できるものであれば任意に選択することができる。ケーブル１にしごきを与えることで、接着力の弱められた保護シース層６とラミネートテープ５との接着部分の剥離が進み、同時に、ラミネートテープの金属箔とゴムプラスチックフィルムとの剥離も促進される。
【００１８】
しごきを付与されたケーブル１は次に切り込みを入れられる。遮水ケーブル１への切り込みは、例えばケーブル１が通過する複数の井桁式ロール２１の最後のロールに切り込み用の刃を設置すればよい。なお、遮水ケーブルへの切り込みは１個所でもよく、対角線に２箇所、或いは等間隔に複数箇所入れても良い。また、切り込む深さは、ケーブルコアに至るかその寸前までである。
切り込みを入れられたケーブル１は次に剥線機１３により保護シース層６、ラミネートテープ５、ケーブルコア４に簡単に分離される。
【００１９】
本発明は上述したように、先ず遮水ケーブル１の保護シース層６の温度を８０°Ｃ以上に昇温し、保護シース層６とラミネートテープ５とを接着している接着剤の接着強度を弱め、次いで、該遮水ケーブル１にその外周からしごきを加えて保護シース層６とラミネートテープ５との接着部分に剥離力を作用させ、最後に、保護シース層６からケーブルコア４に至る縦割りを入れて、保護シース６、ラミネートテープ５、ケーブルコア４に分離・分別する遮水ケーブルの解体方法である
【００２０】
以下本発明を実施例により説明する。
５０μｍ厚さのアルミニウム箔の片面に１００μｍ厚さの導電性・熱可塑性プラスチックフィルムを、他方の面に熱硬化型接着剤を介して５０μｍ厚さのＰＥＴフィルムを貼着し、ＰＥＴフィルムの外側に１００μｍ厚さのポリ塩化ビニールシース接着用接着剤を塗布したラミネートテープを用意した。
このラミネートテープの接着剤塗布面を外側にして、図１に示すように、ケーブルコア４に縦添えして遮水層５を、その上にポリ塩化ビニールを押出成形して保護シース層６を設け、試験用の６ｋＶ遮水ケーブル１を試作した。
【００２１】
このようにして試作した遮水ケーブル１の一部を切り取り、切り取ったケーブルからラップシースを分離し、ラミネートテープと保護シース層との剥離試験として、円周方向にわたって１８０度剥離試験を行ったところ、剥離力は２〜３ｋｇ／ｃｍ幅で安定していた。
この試作遮水ケーブルを５ｍ／分の速度で遠赤外線ヒータ炉を通過させ、保護シース層の温度を１００°Ｃに加熱し、次いで角度を変えた３組の井桁ロールを通してシース層にしごき（圧縮力）（剪断応力）を加え、最後の井桁ロールに設けた切り込み用回転刃によりラップシースを対角線に２ヶ所切り、剥線機で保護シース層６、ラミネートテープ５、ケーブルコア４に分離・分別した。井桁ロールによるケーブルへの剪断応力は、剥線機での保護シース層６とラミネートテープ５との分離の状況をみながらロール間の幅を調整して行った。その結果、１００ｍの遮水ケーブルの分解を何等の支障もなく行うことができた。
【００２２】
比較例
実施例で試作したのと同じ試験用遮水ケーブルを作製し、該遮水ケーブルを長手方向に先ず２分割した。この時、ケーブルコアをも同時に切断するため、導体の切子が飛び散るのを防止するため周囲を囲って切断作業を行った。従って切子が飛び散るのは防止できたが、導体の切子は絶縁層にかなり食い込んでいた。次にラップシースとケーブルコアとを分離したが、導体が付着している絶縁層とラップシースとの分離は容易でなかった。次いでケーブルコアから分離したラップシースを遠赤外線ヒータで１００°Ｃに加熱した後、ラミネートテープと保護シース層との剥離・分別を人力で強制的に試みた。その結果、剥離の途中でラミネートテープが切断するトラブルが発生し、その都度再度加熱し直す作業の繰り返しが必要になり、作業には多くの困難が要求された。
【００２３】
上述したように、本発明の実施例では、何等のトラブルもなく試験ケーブルをケーブルコア、ラミネートテープ、保護シース層に分離・分別することができたが、比較例では、切断した導体によるトラブル、ラミネートテープと保護シース層との分離作業に困難をきたし、作業時間が長く取られる等の問題が生じた。
【００２４】
【発明の効果】
本発明は上述したように、先ず遮水ケーブルの保護シース層の温度を８０°Ｃ以上に昇温し、保護シースとラミネートテープとを接着している接着剤の接着強度を弱め、次いで、該遮水ケーブルにその外周からしごきを加えて保護シース層とラミネートテープとの接着部分に剥離力を作用させ、最後に、保護シース層から遮水層に至る縦割りを入れて、保護シース、ラミネートテープ、ケーブルコアに分離・分別する遮水ケーブルの解体方法である。従って、解体に当たりケーブルコアを切断しない、即ちケーブル導体を切断しないので導体の切子が発生せず、ケーブル全体に加熱、しごきを加えるのでケーブルコアと遮水層、遮水層と保護シース層とのそれぞれの界面の接着力が弱められ、剥離され、従って、これら３者に分離・分別することが極めて容易になり、遮水ケーブルのリサイクルを簡便にすることができる優れた効果を有するものである。
【図面の簡単な説明】
【図１】遮水ケーブルの一例を示す断面図である。
【図２】本発明に係る遮水ケーブルの分離・分別工程の概要を示す説明図である。
【図３】本発明で使用する井桁ロールの一例を示す正面図である。
【符号の説明】
１　遮水ケーブル
２　ケーブル導体
３　絶縁層
４　ケーブルコア
５　遮水層
５　保護シース層
１１　加熱炉
１２　しごき機（応力付与機）
１３　剥線機
２１　ロール
【図１】
2004064826.tif 000003
【図２】
2004064826.tif 000004
【図３】
2004064826.tif 000005